(57)【要約】【課題】ＰＣ用ウェブページをスマートフォンで閲覧する場合の利便性を向上させる。【解決手段】スマートフォン１００の閲覧部１１１は、ＰＣ用ウェブページからスマートフォン用ウェブページへの変換を変換部１１２に行わせると共に、表示・操作部１４０にＰＣ用ウェブページを表示させる。閲覧者がＰＣ用ウェブページの任意位置をタッチすることでプレビュー領域を特定すると、閲覧部１１１は、プレビュー部１１３に該プレビュー領域のプレビュー表示データを作成させて、表示・操作部１４０にプレビューさせる。そして、閲覧者が該プレビュー領域を閲覧領域に指定すると、閲覧部１１１は、変換部１１２からスマートフォン用ウェブページ文書を受け取り、該閲覧領域の先頭部分が表示される位置までスクロールされた状態でスマートフォン用ウェブページを表示する。【選択図】図１
2014164736.tif 000002
【特許請求の範囲】
【請求項１】
通信ネットワークから受信した前記第１のウェブページ文書に含まれるデザイン定義文書又はコンテンツデータの少なくとも一方を、表示変換用デザイン定義文書又は表示変換用コンテンツデータに置き換える、表示変換処理を行うことにより、第２のウェブページ文書を作成する表示変換処理部と、
前記第１及び第２のウェブページ文書の両方をメモリに保存する文書保存処理部と、
該文書保存処理部に保存された前記第１及び第２のウェブページ文書に基づくウェブページを、ディスプレイの画面に切り替え表示させる閲覧部と、
を備えることを特徴とするウェブページ閲覧装置。
【請求項２】
前記閲覧部は、
前記第１のウェブページ文書に基づくウェブページが表示された前記画面を用いて、所望の閲覧領域を閲覧者に指定させると共に、
当該ウェブページに代えて、前記第２のウェブページ文書に基づくウェブページを、指定された該閲覧領域の少なくとも一部が表示される状態で該画面に表示させる、
ことを特徴とする請求項１に記載のウェブページ閲覧装置。
【請求項３】
前記閲覧部は、
前記第１のウェブページ文書に基づくウェブページが表示された前記画面を用いて、所望のプレビュー領域を閲覧者に指定させると共に、
当該ウェブページに重ねて、指定された該プレビュー領域の先頭部分の前記コンテンツデータを該画面に表示させる、
ことを特徴とする請求項１又は２に記載のウェブページ閲覧装置。
【請求項４】
前記表示変換用コンテンツデータが、外部データベースから受信された補助情報を用いて生成されることを特徴とする請求項１乃至３のいずれかに記載のウェブページ閲覧装置。
【請求項５】
コンピュータを請求項１乃至４の何れかに記載のウェブページ閲覧装置として機能させることを特徴とする、コンピュータ読み込み可能なプログラム。
【発明の詳細な説明】
【技術分野】
【０００１】
本発明は、ウェブページ文書を変換する機能を備えるウェブページ閲覧装置及びプログラムに関する。本発明は、例えば、パーソナルコンピュータ（以下、「ＰＣ」と記す）での閲覧に最適化されたウェブページ文書を、スマートフォン用のウェブページ文書に変換して表示する装置及びプログラムに適用することができる。
【背景技術】
【０００２】
近年、スマートフォンの利用が伸びている。スマートフォンでは、携帯電話の機能に加え、ウェブサイトを閲覧する機能やアプリケーションを実行させる機能などの、複合的な機能が携帯性の高い小型の本体に搭載されている。
【０００３】
スマートフォンでは、インターネットに直接接続して、ＰＣ用に作成されたウェブページを閲覧することができる。しかし、スマートフォンは、画面のサイズが小さいために、ＰＣ用ウェブサイトをそのまま表示しても閲覧者に読み取り難いという欠点がある。
【０００４】
このため、スマートフォン上で、ＰＣ用のウェブページを、スマートフォンに適したウェブページに変換する技術が、既に提案されている（下記特許文献１参照）。
【先行技術文献】
【特許文献】
【０００５】
【特許文献１】特開２００６−１２０１５３号公報
【発明の概要】
【発明が解決しようとする課題】
【０００６】
多くのＰＣ用ウェブサイトでは、一つのウェブページを様々な表示領域に分割して、表示を行っている。例えば、一般的なポータルサイトでは、一つウェブページに、ニュースの表示領域、天気予報の表示領域、金融情報の表示領域等が設けられて、縦方向及び横方向に配列されている。そして、各表示領域の位置は、記事が更新されても、常に一定である。このため、閲覧者は、自分の過去の経験等に基づいて、閲覧したい記事の表示位置を知っていることが多い。すなわち、ＰＣ用ウェブサイトには、過去の経験等に基づいて、自分が欲する情報を素早く閲覧できるという長所がある。
【０００７】
これに対して、多くのスマートフォン用ウェブサイトでは、画面が小さいこと等の理由から、ウェブページの外観デザインが、対応するＰＣ用ウェブページの外観デザインとは全く異なるものとなっている。このため、一般に、スマートフォン用ウェブサイトでは、ＰＣ用ウェブサイトにおける自己の経験等に基づいて、閲覧したい記事を素早く発見することはできない。
【０００８】
また、スマートフォン用ウェブサイトでは、上記表示領域の配列方向も縦方向だけのことが多く、閲覧したい記事の表示領域には、画面をスクロールしながら到達しなければならないことも多い。
【０００９】
このため、スマートフォン用ウェブサイトで、閲覧したい記事にたどり着くことは、容易とは言えない。
【００１０】
このような欠点を解消するため、上記特許文献１の携帯型端末は、ＰＣ用ウェブページと略同じ画面デザインのウェブページを表示させるとともに、このウェブページの任意の表示領域にズームインすることができる機能を有している（例えば、特許文献１の段落［００４０］、図５等参照）。
【００１１】
しかしながら、特許文献１のズームイン機能では、画面の外観デザインを維持しつつ文字等を拡大するだけであるため、閲覧者にとっては、却って記事等を閲覧し難くなる場合がある。すなわち、一般に、見たい記事を探し出す際にはＰＣ用ウェブページの方が便利であるが、探し出した記事を閲覧する場合にはスマートフォンに最適化されたウェブページの方が見やすい場合も多い。
【００１２】
本発明は、上記従来の問題に鑑みてなされたものであり、変換前のウェブページ文書による表示と変換後のウェブページ文書による表示とを適宜切り換えて行うことができるウェブページ閲覧装置及びプログラムの提供を目的とする。
【課題を解決するための手段】
【００１３】
本発明に係るウェブページ閲覧装置は、通信ネットワークから受信した前記第１のウェブページ文書に含まれるデザイン定義文書又はコンテンツデータの少なくとも一方を、表示変換用デザイン定義文書又は表示変換用コンテンツデータに置き換える、表示変換処理を行うことにより、第２のウェブページ文書を作成する表示変換処理部と、前記第１及び第２のウェブページ文書の両方をメモリに保存する文書保存処理部と、該文書保存処理部に保存された前記第１及び第２のウェブページ文書に基づくウェブページを、ディスプレイの画面に切り替え表示させる閲覧部とを備えることを特徴とする。
【００１４】
本発明のウェブページ閲覧装置においては、前記閲覧部は、前記第１のウェブページ文書に基づくウェブページが表示された前記画面を用いて、所望の閲覧領域を閲覧者に指定させると共に、当該ウェブページに代えて、前記第２のウェブページ文書に基づくウェブページを、指定された該閲覧領域の少なくとも一部が表示される状態で該画面に表示させることが望ましい。
【００１５】
本発明のウェブページ閲覧装置においては、前記閲覧部は、前記第１のウェブページ文書に基づくウェブページが表示された前記画面を用いて、所望のプレビュー領域を閲覧者に指定させると共に、当該ウェブページに重ねて、指定された該プレビュー領域の先頭部分の前記コンテンツデータを該画面に表示させることが望ましい。
【００１６】
本発明のウェブページ閲覧装置においては、前記表示変換用コンテンツデータが、外部データベースから受信された補助情報を用いて生成されることが望ましい。
【００１７】
本発明に係るプログラムは、コンピュータ読み込み可能なプログラムであって、コンピュータを上記本発明のウェブページ閲覧装置として機能させることを特徴とする。
【発明の効果】
【００１８】
本発明のウェブページ閲覧装置によれば、第１のウェブページ文書を第２のウェブページ文書に変換すると共に、これら変換前後のウェブページ文書を両方をメモリに保存するので、閲覧部は、第１のウェブページの再受信等を行わなくても、閲覧者にとって見やすい方のウェブページを適宜切り替えて表示することができる。
【００１９】
本発明のウェブページ閲覧装置において、変換前のウェブページを用いて閲覧者に閲覧領域を指定させると共に、指定された閲覧領域の少なくとも一部が表示されるような状態で変換後のウェブページを表示することにより、閲覧領域の指定及び実際の閲覧の両方について、閲覧者の利便性を向上させることができる。
【００２０】
本発明のウェブページ閲覧装置において、変換前のウェブページを用いて閲覧者にプレビュー領域を指定させると共に、指定されたプレビュー領域の先頭部分のコンテンツデータを変換前のウェブページに重ねて表示することにより、閲覧者がその記事の概要を容易に把握することができ、閲覧領域を指定する際の利便性を向上させることができる。
【００２１】
本発明のウェブページ閲覧装置において、外部データベースから受信した補助情報を用いて表示変換用コンテンツデータを作成することにより、様々なコンテンツへの変換を良好に行うことができる。
【００２２】
本発明のプログラムによれば、コンピュータを、本発明のウェブページ閲覧装置として機能させることができる。
【図面の簡単な説明】
【００２３】
【図１】実施の形態１に係るネットワークの全体構成を概念的に示すブロック図である。
【図２】実施の形態１に係る変換部の内部構成を概念的に示すブロック図である。
【図３】実施の形態１に係るプレビュー部の内部構成を概念的に示すブロック図である。
【図４】（ａ）〜（ｄ）共に、実施の形態１に係るスマートフォンの操作方法を説明するための概念図である。
【図５】実施の形態１に係る閲覧部の動作を示す概略フローチャートである。
【図６】実施の形態１に係る変換部の動作を示す概略フローチャートである。
【図７】実施の形態１に係るプレビュー部の動作を示す概略フローチャートである。
【発明を実施するための形態】
【００２４】
［発明の実施の形態１］
以下、本発明の実施の形態１に係るウェブページ閲覧装置について、図面を参照して説明する。
【００２５】
図１は、この実施の形態１に係るネットワークの全体構成を概念的に示すブロック図である。
【００２６】
図１に示したように、このネットワークは、スマートフォン１００と、ウェブサーバ１５０と、インターネット１６０とを含む。ウェブサーバ１５０及びインターネット１６０は、従来と同様であるため、説明を省略する。
【００２７】
スマートフォン１００は、本発明の「ウェブページ閲覧装置」に相当し、インターネット１６０を介してウェブサーバ１５０に通信接続される。スマートフォン１００は、プロセッサ１１０、通信部１２０、メモリ１３０、表示・操作部１４０等を備えている。
【００２８】
プロセッサ１１０は、閲覧部１１１、変換部１１２及びプレビュー部１１３を、ソフトウエア的に構築する。なお、閲覧部１１１、変換部１１２及びプレビュー部１１３は、一つのプログラムから一体的に構成されても良いし、個別のプログラムから構成されても良い。
【００２９】
閲覧部１１１は、通信部１２０及びインターネット１３０を介してウェブサーバ１２０にアクセスし、ウェブサーバ１２０に格納されたＰＣ用ウェブページ文書（本発明の「第１のウェブページ文書」に対応）を受信して、変換部１１２に転送する。また、閲覧部１１１は、このＰＣ用ウェブページ文書及び変換後のウェブページ文書（後述のスマートフォン用ウェブページ文書）を変換部１１２から択一的に受け取って、表示・操作部１４０に切り替え表示させる。更に、閲覧部１１１は、後述のプレビュー表示データをプレビュー部１１３から受け取り、ＰＣ用ウェブページに重ねて表示させる。
【００３０】
変換部１１２は、閲覧部１１１からＰＣ用ウェブページ文書を受け取る。そして、変換部１１２は、後述のようにして、ＰＣ用ウェブページ文書をスマートフォン用ウェブページ文書（本発明の「第２のウェブページ文書」に対応）に変換する。変換部１１２は、ＰＣ用ウェブページ文書及びスマートフォン用ウェブページ文書を、メモリ１３０に一時保存する。
【００３１】
プレビュー部１１３は、ＰＣ用ウェブページ文書の一部を閲覧部１１１から受け取ったときに、プレビュー表示データを作成して、メモリ１３０に一時保存する。
【００３２】
通信部１２０は、携帯電話用無線回線や、無線ＬＡＮ(Local Area Network)用回線等を用いて、インターネット１６０に通信接続する。
【００３３】
メモリ１３０は、ウェブサーバ１５０から受信したＰＣ用ウェブページ文書や、変換部１１２が生成したスマートフォン用ウェブページ文書、プレビュー部１１３が生成したプレビュー表示データ等を、一時保存する。なお、メモリ１３０は、プロセッサ１１０の内部メモリであっても良い。
【００３４】
表示・操作部１４０は、例えばタッチパネル付ディスプレイ（図示せず）を用いて、ウェブページの表示や、閲覧者による操作の受け付けを行う。
【００３５】
図２は、変換部１１２の内部構成を概念的に示すブロック図である。
【００３６】
図２に示したように、変換部１１２は、変換用通信処理部２１０と、表示変換処理部２２０と、文書保存処理部２３０とを備える。
【００３７】
変換用通信処理部２１０は、閲覧部１１１からＰＣ用ウェブページ文書を受け取って、文書保存処理部２３０に送ると共に、表示変換処理部２２０に送る。また、変換用通信処理部２１０は、閲覧部１１１からの要求に応じて、ＰＣ用ウェブページ文書又はスマートフォン用ウェブページ文書（変換後のウェブページ文書）の一方を送信する。
【００３８】
表示変換処理部２２０は、変換用通信処理部２１０からＰＣ用ウェブページ文書を受け取ると、このウェブページ文書を、構造定義文書と、コンテンツデータと、デザイン定義文書とに分割する。ここで、構造定義文書とは、ウェブページ文書のうち、ＨＴＭＬ(HyperText  Markup  Language)等のマークアップ言語で記述された部分である。また、コンテンツデータとは、ウェブページに実際に表示される、テキストや画像等を示すデータである。更に、デザイン定義文書とは、ＣＳＳ(Cascading  Style  Sheets)等で記述された部分、すなわち表示の体裁を決定する記述部分である。
【００３９】
表示変換処理部２２０は、このうち、コンテンツデータ又はデザイン定義文書の少なくとも一方を、変換用のコンテンツデータやデザイン定義文書に入れ替える。デザイン定義文書を入れ替えることにより、文字サイズや画面レイアウト等を変更して、スマートフォンの小サイズ画面でも見やすいウェブページ文書に変換することができる。また、この変換処理では、小画面サイズに適合させるための変換だけでなく、他の種類の変換を行うことも可能である。例えば、コンテンツデータを入れ替えることにより、テキストデータの漢字要素にルビを付加することや、テキストデータの日本語要素を外国語要素に置き換えることも可能である。また、デザイン定義文書の入れ替えにより、通常のスマートフォンよりも更に文字を大きくすることも可能であるし、装飾文字を使用した表示や絵文字等を付加した表示に変換することも可能である。後述するように、この実施の形態１では、変換用のコンテンツデータやデザイン定義文書をそれぞれ複数種類使用できるようにし、閲覧者の操作に基づいて選択できるようにした。
【００４０】
変換用のコンテンツデータやデザイン定義文書は、表示変換処理部２２０内等に予め準備しておいてもよいし、外部データベース２４０から読み出すこととしても良い。例えば、上述のようなルビの付加や外国語への置き換えは、補助情報（例えば、ルビの情報や外国語要素）のデータ量が多いので、外部データベース２４０から取り込むことが望ましい。
【００４１】
文書保存処理部２３０は、表示変換処理部２２０の変換処理で生成されたウェブページ文書（すなわち、スマートフォン用ウェブページ文書）と、変換前のウェブページ文書（すなわち、ＰＣ用ウェブページ文書）との両方を、メモリ１３０内に一時保存する。また、後述のようにして複数種類のスマートフォン用ウェブページ文書が生成された場合は、これらのスマートフォン用ウェブページ文書を全て一時保存する。変換用通信処理部２１０が閲覧部１１１から要求信号を入力すると、その要求信号に対応するウェブページ文書が読み出され、閲覧部１１１に送られる。
【００４２】
図３は、プレビュー部１１３の内部構成を概念的に示すブロック図である。
【００４３】
図３に示したように、プレビュー部１１３は、プレビュー用通信処理部３１０と、プレビュー変換処理部３２０と、データ保存処理部３３０とを備える。
【００４４】
プレビュー用通信処理部３１０は、閲覧部１１１からウェブページ文書を受け取って、プレビュー変換処理部３２０に渡す。後述するように、閲覧部１１１は、ＰＣ用ウェブページ文書のうち、閲覧者が指定したプレビュー領域に対応する部分のみを抽出して、プレビュー用通信処理部３１０に送る。また、プレビュー用通信処理部３１０は、閲覧部１１１からの要求に応じて、プレビュー表示データを出力する。
【００４５】
プレビュー変換処理部３２０は、受け取ったウェブページ文書から、プレビューする部分のコンテンツデータ（例えば、冒頭の１０文字分のテキストデータ）を抽出する。そして、プレビュー変換処理部３２０は、抽出されコンテンツデータと、予め準備されたプレビュー用デザイン定義文書とを用いて、プレビュー表示データを作成する。なお、変換部１１２の場合と同様の方法で、コンテンツデータにルビを付加したり外国語に置き換えたりしても良い。
【００４６】
データ保存処理部３３０は、プレビュー用変換処理部２２０が作成したプレビュー表示データを、メモリ１３０内に一時保存する。また、後述のようにして複数種類のプレビュー表示データが生成された場合は、これらのプレビュー表示データを全てメモリ１３０に保存する。そして、データ保存処理部３３０は、プレビュー用通信処理部３１０を介して、プレビュー表示データを閲覧部１１１に送信する。
【００４７】
次に、この実施の形態１に係るスマートフォン１００の操作方法及び全体動作について説明する。図４（ａ）〜（ｄ）は、スマートフォン１００の操作方法を説明するための概念図である。また、図５は閲覧部１１１の動作を示す概略フローチャート、図６は変換部１１２の動作を示す概略フローチャート、図７はプレビュー部１１３の動作を示す概略フローチャートである。
【００４８】
まず、操作者は、タッチパネル付ディスプレイの画面４００上で、拡大ボタン４１０をタッチする。これにより、この実施の形態１に係る変換機能が有効になる。なお、変換機能を有効にするための操作方法は、他の方法であっても良い。
【００４９】
続いて、閲覧者の操作により、閲覧部１１１が、通信部１２０及びインターネット１６０を介して、ウエブサーバー１５０からＰＣ用ウェブページ文書を受信する（図５のＳ５０１参照）。そして、閲覧部１１１は、このＰＣ用ウェブページ文書を変換部１１２に送る（Ｓ５０２参照）。更に、閲覧部１１１は、このＰＣ用ウェブページ文書を用いて、表示・操作部１４０の画面４００に、ＰＣ用ウェブページ４２０を表示する（Ｓ５０３参照）。図４（ａ）に示したように、ＰＣ用ウェブページ４２０には、複数の表示領域４２１〜４２７が、縦方向及び横方向に配置されている。
【００５０】
上述のように、このＰＣ用ウェブページ文書は、変換部１１２の変換用通信処理部２１０によって受信されて（図６のＳ６０１参照）、文書保存処理部２３０によって、メモリ１３０に一時保存される（Ｓ６０２参照）。そして、表示変換処理部２２０によって、構造定義文書、コンテンツデータ及びデザイン定義文書に分割され（Ｓ６０３参照）、更に、コンテンツデータ又はデザイン定義文書を入れ替えることにより、スマートフォン用ウェブページ文書に変換される（Ｓ６０４参照）。そして、このスマートフォン用ウェブページ文書が、文書保存処理部２３０によって、メモリ１３０に一時保存される（Ｓ６０５参照）。
【００５１】
続いて、閲覧者が、指４３０で、ＰＣ用ウェブページ４２０上の任意位置にタッチする。閲覧部１１１は、このタッチを認識すると（図５のＳ５０４参照）、表示領域４２１〜４２７のいずれかをプレビュー対象として特定する（Ｓ５０５参照）。図４（ｂ）の例では、表示領域４２３が、プレビュー対象に指定されている。そして、閲覧部１１１は、プレビュー部１１３に、プレビュー表示データを要求すると共に、ＰＣ用ウェブページ文書のうち、表示領域４２３に対応する部分を送る（Ｓ５０６参照）。但し、タッチ位置が移動した場合であって（後述）、既にＰＣ用ウェブページ文書の該当部分がプレビュー部１１３に送られている場合には、ＰＣ用ウェブページ文書を送る必要は無い。
【００５２】
プレビュー部１１３のプレビュー用通信処理部３１０は、このＰＣ用ウェブページ文書を受信すると（図７のＳ７０１参照）、プレビュー変換処理部３２０に渡す。
【００５３】
プレビュー変換処理部３２０は、受け取ったウェブページ文書を用い、上述のようにして、コンテンツデータ（図４の例では、表示領域４２３の冒頭１０文字分のテキストデータ）を抽出すると共に（Ｓ７０２参照）、このコンテンツデータとプレビュー用デザイン定義文書とを用いて、プレビュー表示データを作成する（Ｓ７０３参照）。このプレビュー表示データは、データ保存処理部３３０によって、メモリ１３０内に一時保存される（Ｓ７０４参照）。その後、プレビュー用通信処理部３１０は、このプレビュー表示データを、閲覧部１１１に送る（Ｓ７０５参照）。
【００５４】
閲覧部１１１は、プレビュー表示データを受信すると（図５のＳ５０７参照）、図４（ｂ）に示したように、このプレビュー表示データに対応する表示４４０を、ＰＣ用ウェブページ４２０の表示に重ねて、バルーン表示する（Ｓ５０８参照）。これにより、閲覧者は、ＰＣ用ウェブページ４２０をスマートフォンの小型画面で表示するにも拘わらず、表示領域４２３に係る記事の概要を容易に把握できる。
【００５５】
続いて、閲覧部１１１は、閲覧者が、プレビュー表示された表示領域の閲覧を指定したか否かをチェックする（Ｓ５０９参照）。閲覧を指定しなかった場合、閲覧者は、指４３０の位置をずらして、他の表示領域を指定することができる（Ｓ５０４参照）。図４（ｃ）の例では、閲覧者により、表示領域４２４が指定されている（Ｓ５０５参照）。閲覧部１１１は、プレビュー部１１３にプレビュー表示データを要求すると共に、ＰＣ用ウェブページ文書のうち、この表示領域４２４に対応する部分を送る（Ｓ５０６参照）。プレビュー部１１３は、上述の場合と同様にしてプレビュー表示データ（ここでは、表示領域４２４の冒頭１０文字分のテキストデータ）を作成して保存する（図６のＳ６０１〜Ｓ６０４参照）。データ保存処理部３３０は、このプレビュー表示データを、メモリ１３０内に保存する（Ｓ６０５参照）。このとき、前回作成したプレビュー表示データ（表示領域４２３に対応するプレビュー表示データ）は、メモリ１３０から消去しないこととしてもよい。この場合には、閲覧者が再び表示領域４２３を指定した場合、プレビュー変換処理部３２０は、プレビュー表示データの作成処理を再度実行する必要は無く、メモリ１３０に保存されたプレビュー表示データを再送するだけで良い。
【００５６】
閲覧部１１１は、新たなプレビュー表示データを受信すると、表示領域４２３のコンテンツデータ４４０に代えて、表示領域４２４のコンテンツデータ４４１をバルーン表示する（図４（ｃ）、図５のＳ５０８参照）。
【００５７】
閲覧者は、プレビューされている表示領域を、閲覧領域として指定することができる（Ｓ５０９参照）。閲覧領域に指定する方法は、プレビュー中の画面４００から指４３０を離す方法であっても良いし、かかる画面４００に所定時間以上触れ続ける方法であっても良いし、他の方法であっても良い。閲覧領域が指定されると、閲覧部１１１は、変換部１１２に、スマートフォン用ウェブページ文書を要求する。
【００５８】
このとき、変換部１１２の変換用通信処理部２１０は、文書保存処理部２３０からスマートフォン用ウェブページ文書を読み出して、変換部１１１に送る。そして、閲覧部１１１が、表示・操作部１４０に、このスマートフォン用ウェブページを表示させる（図４（ｄ）、図５のＳ５１０参照）。なお、スマートフォン用ウェブページでは、表示領域４２１〜４２７に対応する記事が、縦方向のみに配列されている。
【００５９】
このとき、閲覧部１１１は、指定された閲覧領域の少なくとも一部（例えば、先頭部分）が表示される位置まで、スマートフォン用ウェブページを縦スクロールさせる。これにより、閲覧者は、プレビュー表示を用いて指定した閲覧領域の記事を、すぐさま閲覧することができる。なお、閲覧部１１１が、スマートフォン用ウェブページのうち、指定された閲覧領域の記事のみを表示することとしても良い。
【００６０】
図４（ｄ）に示したように、スマートフォン用ウェブページの表示画面には、戻るボタン４５０が表示される。この戻るボタン４５０がタッチされると（Ｓ５１１参照）、閲覧部１１１は、変換部１１２に、ＰＣ用ウェブページ文書を要求する。なお、ＰＣ用ウェブページを要求するための操作方法は、他の方法であっても良い。
【００６１】
このとき、変換部１１２の変換用通信処理部２１０は、文書保存処理部２３０が保存したＰＣ用ウェブページ文書を読み出して、変換部１１１に送る。そして、閲覧部１１１が、表示・操作部１４０に、このＰＣ用ウェブページを再表示させる（Ｓ５０３参照）。閲覧者は、上記の場合と同様、このＰＣ用ウェブページの任意の表示領域をプレビューさせることができると共に、その表示領域を閲覧領域に指定することができる（Ｓ５０４〜Ｓ５０９参照）。
【００６２】
このように、この実施の形態１では、ＰＣ用ウェブページ文書とスマートフォン用ウェブページ文書との両方を文書保存処理部２３０に一時保存するので、ＰＣ用ウェブページ文書の再受信や再変換を行うこと無しに、ＰＣ用ウェブページとスマートフォン用ウェブページを切り替え表示することが可能となる。
【００６３】
また、図４（ｄ）に示したように、スマートフォン用ウェブページの表示画面には、三種類のリサイズボタン４６１〜４６３が表示される。これらのリサイズボタン４６１〜４６３は、スマートフォン用ウェブページの表示サイズの変更に使用される。例えば表示サイズが「中」のときにリサイズボタン４６１又は４６３がタッチされると、閲覧部１１１は、変換部１１２に、タッチされたリサイズボタンに対応するスマートフォン用ウェブページ文書を要求する。変換部１１２の表示変換処理部２２０は、文書保存処理部２３０が保存したＰＣ用ウェブページ文書を用いて、再度変換処理を行う。この場合、変換用デザイン定義文書としては、表示サイズの「小」又は「大」に対応するもの（すなわち、リサイズボタン４６１又は４６３に対応するもの）が使用される。かかるスマートフォン用ウェブページ文書も、文書保存処理部２３０によってメモリ１３０に一時保存しても良いし、しなくても良い。なお、表示サイズを変更するための操作方法は、他の方法であっても良い。
【００６４】
更に、図４（ｄ）に示したように、スマートフォン用ウェブページの表示画面には、メニューボタン４７０が表示される。メニューボタン４７０は、上述の「他の種類の変換」（すなわち、ルビの追加、外国語要素への置き換え、装飾文字や絵文字の使用等）を行うときに使用する。閲覧部１１１は、変換部１１２に、指定された変換を要求する。変換部１１２の表示変換処理部２２０は、変換の種類に応じた変換用コンテンツデータや変換用デザイン定義文書を用いて、変換処理を行う。
【００６５】
以上説明したように、この実施の形態１に係るスマートフォン１００によれば、ＰＣ用ウェブページ文書をスマートフォン用ウェブページ文書に変換すると共に、これら変換前後のウェブページ文書を両方をメモリ１３０に一時保存するので、閲覧部は、閲覧者にとって見やすい方のウェブページを適宜切り替えて表示することができる。
【００６６】
また、この実施の形態１では、ＰＣ用ウェブページを用いて閲覧領域を指定することができるので、閲覧者は、ＰＣで閲覧したときの経験等に基づいて、自分が欲する閲覧領域を素早く指定できる。更に、閲覧領域を指定したときに、スマートフォン用ウェブページは、その閲覧領域の先頭記事が表示される位置までスクロールして表示されるので、その閲覧領域の記事を素早く閲覧できる。従って、この実施の形態１によれば、閲覧領域の指定及び実際の閲覧の両方について、閲覧者の利便性を向上させることができる。
【００６７】
加えて、この実施の形態１では、ＰＣ用ウェブページを用いて閲覧者にプレビュー領域を指定させると共に、指定されたプレビュー領域の先頭部分のコンテンツデータをＰＣ用ウェブページに重ねてバルーン表示する。このため、ＰＣ用ウェブページをスマートフォンで表示するにも拘わらず、閲覧者がそのプレビュー領域の概要を容易に把握することができ、従って閲覧領域を指定する際の利便性を向上させることができる。
【００６８】
更には、この実施の形態１では、外部データベース２４０から受信した補助情報を用いて表示変換用コンテンツデータを作成することができるので、様々なコンテンツへの変換を良好に行うことができる。
【００６９】
なお、実施の形態１では、ＰＣ用ウェブページ文書からスマートフォン用ウェブページ文書への変換を例に採って説明したが、例えばスマートフォン用ウェブページ文書から従来型携帯電話機用ウェブページ文書への変換や、タブレット端末からスマートフォン用ウェブページ文書への変換等、他の種類の変換にも適用することができる。
【符号の説明】
【００７０】
１００  スマートフォン
１１０  プロセッサ
１１１  閲覧部
１１２  変換部
１１３  プレビュー部
１２０  通信部
１３０  メモリ
１４０  表示・操作部
２１０  変換用通信処理部
２２０  表示変換処理部
２３０  文書保存処理部
３１０  プレビュー用通信処理部
３２０  プレビュー変換処理部
３３０  データ保存処理部
【図１】
2014164736.tif 000003
【図２】
2014164736.tif 000004
【図３】
2014164736.tif 000005
【図４】
2014164736.tif 000006
【図５】
2014164736.tif 000007
【図６】
2014164736.tif 000008
【図７】
2014164736.tif 000009